(57)【特許請求の範囲】
【請求項１】
それぞれが、発熱反応及び吸熱反応を行う蓄熱材を含む、複数の反応部と、
前記蓄熱材の前記反応に関係する物質を含み、前記物質について気相と液相との間で相転移が行われる蒸発・凝縮部と、
前記各反応部と前記蒸発・凝縮部とを接続する接続部と、
それぞれが、前記各反応部に対応して設けられるとともに、その内部を流れる流体と対応する前記反応部に含まれる前記蓄熱材との間で熱交換が行われる、複数の流体通路と、
前記各流体通路内の流体の流れを制御する制御部と、
を備えたケミカルヒートポンプであって、
前記制御部は、
第１期間が経過する毎に、前記複数の反応部の中から選択される放熱用反応部を順次変更していき、
前記放熱用反応部に対応する前記流体通路に対して、前記放熱用反応部に含まれる前記蓄熱材の転換温度より温度が低い流体を、前記流体通路の第１側から第２側に向けて前記第１期間に亘って流すことによって、前記放熱用反応部を、前記第１期間に亘って、前記発熱反応によって前記蓄熱材が前記流体に対して放熱する放熱状態に設定し、
前記各反応部について、前記放熱用反応部として今回選択されている期間が終了した後、且つ、前記放熱用反応部として次回選択される期間が開始するまでの間において、前記反応部に含まれる前記蓄熱材の転換温度より温度が高い流体を、前記流体通路の前記第２側から前記第１側に向けて第２期間に亘って流すことによって、前記反応部を、前記第２期間に亘って、前記吸熱反応によって前記蓄熱材が蓄熱する蓄熱状態に設定するように構成され、
前記第１期間及び前記第２期間を前記蓄熱材の劣化度合いに応じて変化させる、
ケミカルヒートポンプ。
【請求項２】
請求項１に記載のケミカルヒートポンプにおいて、
前記複数の反応部として、第１の前記反応部と、第２の前記反応部が備えられ、
前記第１期間の長さと前記第２期間の長さが同じであり、
前記制御部は、
前記第１の反応部が前記蓄熱状態に設定され且つ前記第２の反応部が前記放熱状態に設定された第１状態と、前記第１の反応部が前記放熱状態に設定され且つ前記第２の反応部が前記蓄熱状態に設定された第２状態と、を、前記第１期間が経過する毎に交互に実現するように構成された、ケミカルヒートポンプ。
【請求項３】
請求項１又は請求項２に記載のケミカルヒートポンプにおいて、
前記蓄熱材は、水蒸気との前記発熱反応によって水和物になるとともに放熱し、外部から熱を受けて前記水和物の前記吸熱反応によって前記水和物から水蒸気を放出して脱水されるとともに蓄熱する物質であり、
前記蓄熱材の前記反応に関係する物質は、水蒸気である、ケミカルヒートポンプ。
【請求項４】
請求項３に記載のケミカルヒートポンプにおいて、
前記蓄熱材として、ＣａＯ、ＭｇＯ、ＣａＳＯ4、及び、ＣａＣｌ2のうちの何れか１つ、又は何れか２つ以上が使用された、ケミカルヒートポンプ。
【請求項５】
請求項１又は請求項２に記載のケミカルヒートポンプにおいて、
前記蓄熱材は、炭酸ガスとの前記発熱反応によって炭酸物になるとともに放熱し、外部から熱を受けて前記炭酸物の前記吸熱反応によって前記炭酸物から炭酸ガスを放出して脱炭酸されるとともに蓄熱する物質であり、
前記蓄熱材の前記反応に関係する物質は、炭酸ガスである、ケミカルヒートポンプ。
【請求項６】
請求項５に記載のケミカルヒートポンプにおいて、
前記蓄熱材として、ＣａＯ、及び、ＭｇＯのうちの何れか１つ、又は両方が使用された、ケミカルヒートポンプ。
【発明の詳細な説明】
【技術分野】
【０００１】
本発明は、ケミカルヒートポンプに関する。
【背景技術】
【０００２】
近年、資源及びエネルギーを効率良く活用するという観点等から、「工場等で発生する排ガス（以下、「入ガス」と呼ぶ）に含まれる熱を蓄熱し、蓄積された熱を利用して前記排ガスより温度が高いガス（以下、「出ガス」と呼ぶ）を取り出す技術」を実現したいというニーズが高まってきている。このニーズの一つとして、例えば、成形体を焼成する場合が挙げられる。この場合、焼成直後の高温の焼成体を冷却するために使用された排ガスを「入ガス」として利用して、「入ガス」より温度が高い「出ガス」が取り出され、取り出された「出ガス」が焼成時における成形体の昇温に利用される。
【０００３】
この技術を実現するための1つの手段として、ケミカルヒートポンプ（化学蓄熱方式のヒートポンプ）が提案されてきている（例えば、特許文献１、２を参照）。
【０００４】
上記文献に記載のケミカルヒートポンプは、「発熱反応及び吸熱反応を行う蓄熱材を含む反応部」と、「水蒸気、及び水を含み、水蒸気と水との間で相転移を行う蒸発・凝縮部」と、「前記反応部と前記凝縮部とを接続する接続部」と、「内部を流れる流体と前記蓄熱材との間で熱交換が行われる流体通路」と、を備える。ここにいう「蓄熱材」とは、例えば、「水蒸気との発熱反応によって水和物になるとともに放熱する」という性質（第１の性質）、並びに、「外部から熱を受けて前記水和物の吸熱反応によって前記水和物から水蒸気を放出して脱水されるとともに蓄熱する」という性質（第２の性質）、を有する。
【０００５】
ここで、上記蓄熱材には、蓄熱材そのもの（＝脱水物）とその水和物との間での状態の変化に関する温度の臨界点に相当する「転換温度」が存在する。蓄熱材の転換温度は、蓄熱材の種類によって異なるとともに、その蓄熱材を取り巻く雰囲気圧力によって変化する。上記第１の性質における「発熱反応」（脱水物→水和物）は、入ガスの温度が蓄熱材の転換温度以下の場合に限って発生し得る。上記第２の性質における「吸熱反応」（水和物→脱水物）は、入ガスの温度が蓄熱材の転換温度以上の場合に限って発生し得る。
【０００６】
このケミカルヒートポンプでは、蓄熱状態では、蓄熱材の転換温度より温度が高い入ガスが流体通路に流入される。流体流路を流れる入ガスが、上記熱交換が行われる位置を通過する際、反応部内にある蓄熱材の水和物が入ガスから熱を受ける。この結果、上記「第２の性質」により、上記水和物の上記「吸熱反応」が発生して、上記水和物が脱水されて蓄熱材そのもの（＝脱水物）になるとともに、蓄熱材の温度が上がる（即ち、蓄熱材が蓄熱する）。上記脱水により発生した水蒸気（気体）は、接続部を介して反応部から蒸発・凝縮部へと移動する。蒸発・凝縮部に移動した水蒸気は相転移（凝縮）によって水（液体）になり、この水が蒸発・凝縮部にて蓄えられる。入ガスは、上記「吸熱反応」によって熱を奪われる。その結果、流体通路から流出するガスの温度は、流体通路に流入する入ガスの温度と比べて低くなる。以上、蓄熱状態では、蓄熱材の転換温度より温度が高い入ガスを流体通路に流入することによって、入ガスが有する熱の一部を蓄熱材（＝脱水物）に蓄熱させることができる。
【０００７】
一方、放熱状態では、蓄熱材の転換温度より温度が低い入ガスが流体通路に流入される。蒸発・凝縮部内にある水の相転移（蒸発）によって発生した水蒸気が蒸発・凝縮部から反応部に移動する。この結果、上記「第１の性質」により、「反応部内の蓄熱材（＝脱水物）」と「水蒸気」との上記「発熱反応」が発生して、蓄熱材が放熱するとともにその水和物に変化する。流体流路を流れる入ガスが、上記熱交換が行われる位置を通過する際、入ガスが上記蓄熱材の放熱に起因する熱を受ける。この結果、流体通路から流出する出ガスの温度が、流体通路に流入する入ガスの温度と比べて高くなる。以上、放熱状態では、蓄熱材の転換温度より温度が低い入ガスを流体通路に流入することによって、入ガスより温度が高い出ガスを取り出すことができる。
【先行技術文献】
【特許文献】
【０００８】
【特許文献１】特開２００８−０２５８５３号公報
【特許文献２】特開２０１３−１９５０２２号公報
【発明の概要】
【発明が解決しようとする課題】
【０００９】
上記放熱状態（即ち、上記発熱反応）は、反応部内にて蓄熱材そのもの（＝脱水物）がなくなるまで継続され得る。換言すれば、上記放熱状態では、反応部内にて蓄熱材そのものがなくなる時期までは、入ガスより温度が高い出ガスを取り出すことができる一方で、その後は、入ガスより温度が高い出ガスを取り出すことができない（後述する図４を参照）。加えて、単一の反応部内に含まれ得る蓄熱材の量には限度がある。
【００１０】
従って、単一の反応部が利用される構成では、上記放熱状態において、出ガスの温度を入ガスの温度より高い温度（＝目標温度）で（略）一定に維持できる期間にも限度がある。換言すれば、単一の反応部が利用される構成では、出ガスの温度を任意の長期間に亘って前記目標温度で（略）一定に維持したい、という要求があった場合に、その要求を達成することができない。
【００１１】
この問題に対処するため、２つの反応部（第１の反応部、及び、第２の反応部）が利用される構成が考えられる。即ち、例えば、単一の反応部にて出ガスの温度を前記目標温度で一定に維持できる最大の期間を「継続期間」（一定）としたとき、この構成では、「第１の反応部が蓄熱状態に設定され且つ第２の反応部が放熱状態に設定された第１状態」と、「第１の反応部が放熱状態に設定され且つ第２の反応部が蓄熱状態に設定された第２状態」と、を「継続期間」が経過する毎に交互に実現することができる。この結果、出ガスの温度を任意の長期間に亘って前記目標温度で（略）一定に維持することができる（後述する図７を参照）。
【００１２】
ところで、一般に、反応部内に含まれる蓄熱材は、上記発熱反応及び吸熱反応に供される延べ時間が長くなるにつれて次第に劣化していく。ここで、「蓄熱材の劣化」とは、蓄熱材の単位質量当たりに蓄熱できる熱の量が低下する現象を指す。
【００１３】
上記蓄熱状態における流体通路内のガスの流れ方向（以下、「蓄熱時流れ方向」と呼ぶ）と、上記放熱状態における流体通路内のガスの流れ方向（以下、「放熱時流れ方向」と呼ぶ）と、に着目する。
【００１４】
上述のように、「第１状態」と「第２状態」とを「継続期間」が経過する毎に交互に実現する場合において、蓄熱材の劣化が進行した場合、各反応部について、出ガスの温度を前記目標温度で一定に維持できる期間が短くなる現象が発生し得る（後述する図８を参照）。出ガスの温度を前記目標温度で一定に維持できる期間が「継続期間」より短くなると、「第１状態」と「第２状態」との切替時期の直前毎に、出ガスの温度が前記目標温度より著しく低下する現象が発生し得る（後述する図９を参照）。換言すれば、出ガスの温度を安定して前記目標温度で（略）一定に維持することができない。
【００１５】
ここで、「蓄熱時流れ方向」と「放熱時流れ方向」とが同一か反対かで、蓄熱材の劣化が進行した場合において出ガスの温度を前記目標温度で一定に維持できる期間が短くなる程度に差異があることが判明した。出ガスの温度を任意の長期間に亘って安定して前記目標温度で（略）一定に維持することが望まれている。
【００１６】
本発明は、上記内容に鑑みてなされたものであり、その目的は、出ガスの温度を任意の長期間に亘って安定して前記目標温度で（略）一定に維持することができるケミカルヒートポンプを提供することを目的とする。
【課題を解決するための手段】
【００１７】
本発明に係るケミカルヒートポンプの特徴は、「第１状態」と「第２状態」とを「継続期間」が経過する毎に交互に実現する場合において、第１、第２反応部のそれぞれについて、「蓄熱時流れ方向」と「放熱時流れ方向」とを反対とすることにある。
【００１８】
また、本発明に係るケミカルヒートポンプにおいて、２つの反応部（第１の反応部、及び、第２の反応部）を「複数の反応部」に拡張した場合、本発明に係るケミカルヒートポンプは、以下のように記述できる。
【００１９】
即ち、このケミカルヒートポンプは、「それぞれが、発熱反応及び吸熱反応を行う蓄熱材を含む、複数の反応部」と、「前記蓄熱材の前記反応に関係する物質を含み、前記物質について気相と液相との間で相転移が行われる蒸発・凝縮部」と、「前記各反応部と前記蒸発・凝縮部とを接続する接続部」と、「それぞれが、前記各反応部に対応して設けられるとともに、その内部を流れる流体と対応する前記反応部に含まれる前記蓄熱材との間で熱交換が行われる、複数の流体通路」と、「前記各流体通路内の流体の流れを制御する制御部」と、を備える。前記各反応部と前記蒸発凝縮部との接続を個別に連通・遮断可能なバルブが設けられていることが好適である。
【００２０】
前記制御部は、第１期間が経過する毎に、前記複数の反応部の中から選択される放熱用反応部を順次変更していく。前記制御部は、前記放熱用反応部に対応する前記流体通路に対して、前記放熱用反応部に含まれる前記蓄熱材の転換温度より温度が低い流体を、前記流体通路の第１側から第２側に向けて前記第１期間に亘って流すことによって、前記放熱用反応部を、前記第１期間に亘って、前記発熱反応によって前記蓄熱材が前記流体に対して放熱する放熱状態に設定する。また、前記制御部は、前記各反応部について、前記放熱用反応部として今回選択されている期間が終了した後、且つ、前記放熱用反応部として次回選択される期間が開始するまでの間において、前記反応部に含まれる前記蓄熱材の転換温度より温度が高い流体を、前記流体通路の前記第２側から前記第１側に向けて第２期間に亘って流すことによって、前記反応部を、前記第２期間に亘って、前記吸熱反応によって前記蓄熱材が蓄熱する蓄熱状態に設定する。
【００２１】
詳細は後述する（図１０及び図１１を参照）が、「蓄熱時流れ方向」と「放熱時流れ方向」とが反対の場合、「蓄熱時流れ方向」と「放熱時流れ方向」とが同一の場合と比べて、蓄熱材の劣化が進行した場合において出ガスの温度を前記目標温度で一定に維持できる期間が短くなる程度が小さいことが判明した。従って、上記本発明に係るケミカルヒートポンプでは、「蓄熱時流れ方向」と「放熱時流れ方向」とが同一の場合と比べて、「第１状態」と「第２状態」との切替時期の直前毎に出ガスの温度が前記目標温度より著しく低下する現象、が発生し難い。換言すれば、出ガスの温度を任意の長期間に亘ってより安定して前記目標温度で（略）一定に維持することができる。
【図面の簡単な説明】
【００２２】
【図１】本発明に係るケミカルヒートポンプの実施形態全体のシステムを示す模式図である。
【図２】反応部Ｒ１が蓄熱状態に設定された場合における作動状態の一例を示す図である。
【図３】反応部Ｒ１が放熱状態に設定された場合における作動状態の一例を示す図である。
【図４】単一の反応部について、放熱状態の開始からの出ガスの温度の推移の一例を示すグラフである。
【図５】反応部Ｒ１が蓄熱状態に設定され且つ反応部Ｒ２が放熱状態に設定された場合（第１状態）における作動状態の一例を示す図である。
【図６】反応部Ｒ１が放熱状態に設定され且つ反応部Ｒ２が蓄熱状態に設定された場合（第２状態）における作動状態の一例を示す図である。
【図７】「第１状態」と「第２状態」とを「継続期間」が経過する毎に交互に実現する場合における、出ガス温度の推移の一例を示すグラフである。
【図８】出ガスの温度を目標温度で一定に維持できる期間が短くなる現象を説明するための図である。
【図９】「第１状態」と「第２状態」との切替時期の直前毎に出ガスの温度が目標温度より著しく低下する現象を説明するための図である。
【図１０】「蓄熱時流れ方向」と「放熱時流れ方向」とが同一の場合について、蓄熱状態における反応部Ｒ１の内部での蓄熱量の推移、並びに、放熱状態における反応部Ｒ１の内部での放熱量の推移等を説明するための図である。
【図１１】「蓄熱時流れ方向」と「放熱時流れ方向」とが反対の場合について、蓄熱状態における反応部Ｒ１の内部での蓄熱量の推移、並びに、放熱状態における反応部Ｒ１の内部での放熱量の推移等を説明するための図である。
【発明を実施するための形態】
【００２３】
以下、本発明に係るケミカルヒートポンプの実施形態（本実施形態）について、図１〜図７を参照しながら説明する。
【００２４】
＜全体構成＞
図１に示すように、本実施形態は、前記「複数の反応部」として、２つの反応部Ｒ１、Ｒ２を備え、前記「蒸発・凝縮部」として、１つの蒸発・凝縮部Ｄを備える。反応部Ｒ１は、互いに別個独立した、反応器Ｒ１１、反応器Ｒ１２、及び、反応器Ｒ１３で構成される。反応部Ｒ２は、互いに別個独立した、反応器Ｒ２１、反応器Ｒ２２、及び、反応器Ｒ２３で構成される。蒸発・凝縮部Ｄは、互いに別個独立した、蒸発器ＤＡ、及び、凝縮器ＤＢで構成される。
【００２５】
反応部Ｒ１（＝Ｒ１１＋Ｒ１２＋Ｒ１３）と、蒸発器ＤＡとは、配管Ｈ１８、四方弁Ｖ４、及び、配管Ｈ２０を介して接続されている。反応部Ｒ１（＝Ｒ１１＋Ｒ１２＋Ｒ１３）と、凝縮器ＤＢとは、配管Ｈ１８、四方弁Ｖ４、及び、配管Ｈ２１を介して接続されている。反応部Ｒ２（＝Ｒ２１＋Ｒ２２＋Ｒ２３）と、蒸発器ＤＡとは、配管Ｈ１９、四方弁Ｖ４、及び、配管Ｈ２０を介して接続されている。反応部Ｒ２（＝Ｒ２１＋Ｒ２２＋Ｒ２３）と、凝縮器ＤＢとは、配管Ｈ１９、四方弁Ｖ４、及び、配管Ｈ２１を介して接続されている。四方弁Ｖ４は、配管Ｈ１８、Ｈ１９、Ｈ２０、及び、Ｈ２１の間の接続を、個別に連通・遮断可能に構成されている。
【００２６】
ここで、配管Ｈ１８、Ｈ１９、Ｈ２０、Ｈ２１が前記「接続部」に対応している。また、四方弁Ｖ４が、「各反応部と蒸発凝縮部との接続を個別に連通・遮断可能なバルブ」に対応している。なお、一対の真空ポンプＶＰは、ポンプの組立の後（稼働前）に、室温下にて、ポンプの内部（反応部Ｒ１、Ｒ２の内部、及び、蒸発・凝縮部Ｄの内部）の圧力を大気圧より低い圧力に調整するために利用される。
【００２７】
反応器Ｒ１１内、Ｒ１２内、及び、Ｒ１３内には、それぞれ、蓄熱材Ｍ１の粉末、蓄熱材Ｍ２の粉末、及び、蓄熱材Ｍ３の粉末が収容・充填されている。即ち、Ｍ１、Ｍ２、及び、Ｍ３のそれぞれは、反応部Ｒ１内の異なる位置に配置されている。同様に、反応器Ｒ２１内、Ｒ２２内、及び、Ｒ２３内には、それぞれ、蓄熱材Ｍ１の粉末、蓄熱材Ｍ２の粉末、及び、蓄熱材Ｍ３の粉末が収容・充填されている。即ち、Ｍ１、Ｍ２、及び、Ｍ３のそれぞれは、反応部Ｒ２内の異なる位置に配置されている。
【００２８】
蓄熱材Ｍ１、Ｍ２、及び、Ｍ３は全て、「水蒸気との発熱反応によって水和物になるとともに放熱する」という性質（第１の性質）、並びに、「外部から熱を受けて、水和物の吸熱反応によって水和物から水蒸気を放出して脱水されるとともに蓄熱する」という性質（第２の性質）を有する。
【００２９】
蓄熱材には、「蓄熱材そのもの（＝脱水物）」と「その水和物」との間での状態の変化に関する温度の臨界点に相当する「転換温度」が存在する。蓄熱材の転換温度は、蓄熱材の種類によって異なるとともに、蓄熱材を取り巻く雰囲気圧力によっても変化する。
【００３０】
Ｍ１、Ｍ２、及び、Ｍ３の典型例としては、ＣａＯ、ＭｇＯ、及び、ＣａＳＯ４が挙げられる。ＣａＯ、ＭｇＯ、及び、ＣａＳＯ４は、それぞれ、下記(１)式、(２)式、及び、(３)式に示す反応に関係する。各式において、「Ｑ」は熱エネルギーを示す。(１)式において、Ｃａ(ＯＨ)２は、ＣａＯの水和物であり、(２)式において、Ｍｇ(ＯＨ)２は、ＭｇＯの水和物であり、(３)式において、ＣａＳＯ４・１／２Ｈ２Ｏは、ＣａＳＯ４の水和物である。
【００３１】
Ｃａ(ＯＨ)２＋Ｑ→ＣａＯ＋Ｈ２Ｏ  （吸熱反応）
Ｃａ(ＯＨ)２＋Ｑ←ＣａＯ＋Ｈ２Ｏ  （発熱反応）  …(１)
【００３２】
Ｍｇ(ＯＨ)２＋Ｑ→ＭｇＯ＋Ｈ２Ｏ  （吸熱反応）
Ｍｇ(ＯＨ)２＋Ｑ←ＭｇＯ＋Ｈ２Ｏ  （発熱反応）  …(２)
【００３３】
２・ＣａＳＯ４・１／２Ｈ２Ｏ＋Ｑ→２ＣａＳＯ４＋Ｈ２Ｏ  （吸熱反応）
２・ＣａＳＯ４・１／２Ｈ２Ｏ＋Ｑ←２ＣａＳＯ４＋Ｈ２Ｏ  （発熱反応）  …(３)
【００３４】
任意の雰囲気圧力において、ＣａＯ（＝Ｍ１）の転換温度はＭｇＯ（＝Ｍ２）の転換温度より高く、ＭｇＯ（＝Ｍ２）の転換温度はＣａＳＯ４（＝Ｍ３）の転換温度より高い。Ｍ１、Ｍ２、及び、Ｍ３の全てが、ＣａＯ、ＭｇＯ、及び、ＣａＳＯ４のうちの何れか１つであってもよいし、Ｍ１、Ｍ２、及び、Ｍ３が、それぞれ、ＣａＯ、ＭｇＯ、及び、ＣａＳＯ４であってもよい。
【００３５】
各反応器（Ｒ１１、Ｒ１２、及び、Ｒ１３、並びに、Ｒ２１、Ｒ２２、及び、Ｒ２３）には、それぞれ、蛇行する流路を備えた熱交換器Ｅが内蔵されている。各反応器内の熱交換器Ｅは、その反応器内に収容された蓄熱材の粉末の集合体の中に埋まっている。従って、各反応器内の熱交換器Ｅの内部を流れる流体と、その反応器内に収容された蓄熱材の粉末との間において、それぞれ、熱交換が可能となっている。
【００３６】
Ｒ１３内の熱交換器Ｅの第１側が配管Ｈ５と接続され、Ｒ１３内の熱交換器Ｅの第２側が、配管Ｈ４を介して、Ｒ１２内の熱交換器Ｅの第１側と接続され、Ｒ１２内の熱交換器Ｅの第２側が、配管Ｈ３を介して、Ｒ１１内の熱交換器Ｅの第１側と接続され、Ｒ１１内の熱交換器Ｅの第２側が配管Ｈ２と接続されている。ここで、配管Ｈ５、Ｒ１３内の熱交換器Ｅ、配管Ｈ４、Ｒ１２内の熱交換器Ｅ、配管Ｈ３、Ｒ１１内の熱交換器Ｅ、及び、配管Ｈ２を、これらの順で接続して構成される、連続する流路が、前記「複数の流体流路」のうちの１つである「第１流体通路」（反応部Ｒ１に対応して設けられた「流体通路」）に対応している。この「第１流体通路」の「第１側」及び「第２側」がそれぞれ、配管Ｈ５及び配管Ｈ２に対応している。
【００３７】
同様に、Ｒ２３内の熱交換器Ｅの第１側が配管Ｈ１０と接続され、Ｒ２３内の熱交換器Ｅの第２側が、配管Ｈ１１を介して、Ｒ２２内の熱交換器Ｅの第１側と接続され、Ｒ２２内の熱交換器Ｅの第２側が、配管Ｈ１２を介して、Ｒ２１内の熱交換器Ｅの第１側と接続され、Ｒ２１内の熱交換器Ｅの第２側が配管Ｈ１３と接続されている。ここで、配管Ｈ１０、Ｒ２３内の熱交換器Ｅ、配管Ｈ１１、Ｒ２２内の熱交換器Ｅ、配管Ｈ１２、Ｒ２１内の熱交換器Ｅ、及び、配管Ｈ１３を、これらの順で接続して構成される、連続する流路が、前記「複数の流体流路」のうちの１つである「第２流体通路」（反応部Ｒ２に対応して設けられた流体通路）に対応している。この「第２流体通路」の「第１側」及び「第２側」がそれぞれ、配管Ｈ１０及び配管Ｈ１３に対応している。
【００３８】
以上より、本実施形態では、反応部Ｒ１に対応して設けられた「第１流体通路」において、「第１流体流路」を流れる流体がＭ２と熱交換を行う位置（Ｒ１２の内部）が、その流体がＭ１と熱交換を行う位置（Ｒ１１の内部）より前記第１側にあり、その流体がＭ３と熱交換を行う位置（Ｒ１３の内部）が、その流体がＭ２と熱交換を行う位置（Ｒ１２の内部）より前記第１側にある、と言える。
【００３９】
同様に、本実施形態では、反応部Ｒ２に対応して設けられた「第２流体通路」において、「第２流体流路」を流れる流体がＭ２と熱交換を行う位置（Ｒ２２の内部）が、その流体がＭ１と熱交換を行う位置（Ｒ２１の内部）より前記第１側にあり、その流体がＭ３と熱交換を行う位置（Ｒ２３の内部）が、その流体がＭ２と熱交換を行う位置（Ｒ２２の内部）より前記第１側にある、と言える。
【００４０】
従って、蓄熱材Ｍ１、Ｍ２、及び、Ｍ３が、それぞれ、ＣａＯ、ＭｇＯ、及び、ＣａＳＯ４である場合、本実施形態は、各「流体通路」を流れる流体が、対応する「流体流路」における「より第１側の位置」で、「転換温度がより高い蓄熱材」とそれぞれ熱交換を行うように構成されている、ともいえる。
【００４１】
蒸発器ＤＡ、及び、凝縮器ＤＢには、それぞれ、水（又は、水蒸気）が収容されている。また、蒸発器ＤＡ、及び、凝縮器ＤＢの内部には、それぞれ、上述した熱交換器Ｅが内蔵されている。蒸発器ＤＡ、及び、凝縮器ＤＢの内部の熱交換器Ｅは、それぞれ、蒸発器ＤＡ、及び、凝縮器ＤＢ内に収容された水の中に埋まっている。従って、「ＤＡ内の熱交換器Ｅの内部を流れる流体と、ＤＡ内に収容された水との間」、並びに、「ＤＢ内の熱交換器Ｅの内部を流れる流体と、ＤＢ内に収容された水との間」において、それぞれ、熱交換が可能となっている。ＤＡ内の熱交換器Ｅは、配管Ｈ７、Ｈ８によって、後述する加熱装置Ｌと接続されている。ＤＢ内の熱交換器Ｅは、配管Ｈ２２、Ｈ２３によって、後述する冷却装置Ｋと配管によって接続されている。
【００４２】
本実施形態は、更に、四方弁Ｖ１、Ｖ２、Ｖ３を備える。四方弁Ｖ１は、配管Ｈ１、Ｈ２、Ｈ１４、及び、Ｈ１３の間の接続を、個別に連通・遮断可能に構成されている。四方弁Ｖ２は、配管Ｈ９、Ｈ１０、Ｈ１７、及び、Ｈ６の間の接続を、個別に連通・遮断可能に構成されている。四方弁Ｖ３は、配管Ｈ１５、Ｈ５、Ｈ１６、及び、Ｈ６の間の接続を、個別に連通・遮断可能に構成されている。四方弁Ｖ２及びＶ３は、配管Ｈ６によって接続されている。また、配管Ｈ６は、配管Ｈ７と接続されている。
【００４３】
配管Ｈ１にはポンプＰ１が介装され、配管Ｈ９にはポンプＰ２が介装され、配管Ｈ１５にはポンプＰ３が介装され、配管Ｈ７にはポンプＰ４が介装されている。後述するように、配管Ｈ１、Ｈ９、及び、Ｈ１５は、本実施形態（ケミカルヒートポンプ）に「入ガス」を導入するために使用され、配管Ｈ１４は、本実施形態（ケミカルヒートポンプ）から「出ガス」を排出するために使用される。
【００４４】
図１に示す「制御部」は、四方弁Ｖ１〜Ｖ４、ポンプＰ１〜Ｐ４、及び、加熱装置Ｌ、及び、冷却装置Ｋを制御するようになっている。「制御部」は、マイクロコンピュータを含む電子制御装置である。
【００４５】
＜各反応部の作動＞
次に、本実施形態全体の作動を説明する前に、各「反応部」の作動について説明する。反応部Ｒ１単独の作動、及び、反応部Ｒ２単独の作動については全く同じなので、以下、反応部Ｒ１単独の作動についてのみ説明する。
【００４６】
反応部Ｒ１は、蓄熱状態（入ガスが有する熱の一部を蓄熱材に蓄熱させる状態）、保管状態（蓄熱材に蓄熱された熱を蓄熱材に保管するとき）、及び、放熱状態（蓄熱材に蓄熱されていた熱を利用して入ガスより温度が高い出ガスを取り出すとき）の何れかの状態に設定される。以下、蓄熱状態、保管状態、及び、放熱状態の順に説明していく。
【００４７】
[蓄熱状態]
蓄熱状態では、図２に示すように、四方弁Ｖ１が、配管Ｈ１と配管Ｈ２が接続されるように設定され、四方弁Ｖ３が、配管Ｈ５と配管Ｈ６が接続されるように設定され、四方弁Ｖ４が、配管Ｈ１８と配管Ｈ２１が接続されるように設定される。加えて、ポンプＰ１、Ｐ４が作動する。
【００４８】
ポンプＰ１、Ｐ４の作動により、「入ガス」（例えば、工場から排出される高温の排ガス）が、配管Ｈ１を介して、「第１流体通路」の第２側（配管Ｈ２）から「第１流体通路」に導入されて、「第１流体通路」の第１側（配管Ｈ５）に向けて流され、その後、配管Ｈ６、配管Ｈ７、蒸発器ＤＡ内の熱交換器Ｅ、配管Ｈ８を経由して、外部に排出される。
【００４９】
従って、「第１流体通路」内では、「第１流体通路」の第２側から導入された入ガスは、Ｒ１１内の熱交換器Ｅ、Ｒ１２内の熱交換器Ｅ、Ｒ１３内の熱交換器Ｅをこの順に通過し、その後、「第１流体通路」の第１側へと移動していく。
【００５０】
「第１流体流路」を流れる入ガスが各反応器内の熱交換器Ｅをそれぞれ通過する際、対応する反応器内にある蓄熱材の水和物が入ガスから熱を受ける。この結果、上記「第２の性質」により、各反応器内にて、上記水和物の「吸熱反応」が発生する。この結果、各反応器内にて、水和物が脱水されて蓄熱材そのもの（＝脱水物）になるとともに、蓄熱材の温度が上がる（即ち、蓄熱材が蓄熱する）。なお、この「吸熱反応」は、各反応器内の熱交換器Ｅを通過する入ガスの温度が対応する反応器内の蓄熱材の転換温度以上の場合に限って発生し得る。各反応器内にて、この「吸熱反応」は、上記水和物がなくなるまで継続され得る。
【００５１】
各反応器内にて、上記脱水により発生した水蒸気（気体）は、配管Ｈ１８、Ｈ２１を介して、それぞれ、凝縮器ＤＢへと移動する。ＤＢに移動した水蒸気は相転移（凝縮）によって水（液体）になり、この水がＤＢにて蓄えられる。一方、入ガスは、各反応器内の熱交換器Ｅを通過する毎に、上記「吸熱反応」によって熱を奪われる。従って、入ガスの温度は、各反応器について、熱交換器Ｅを通過する前より通過した後の方が低くなる。
【００５２】
以上、蓄熱状態では、入ガスを第２側（配管Ｈ２）から「第１流体通路」に流入することによって、「入ガスが、Ｒ１１、Ｒ１２、Ｒ１３内の熱交換器Ｅのそれぞれを通過する際に、入ガスの温度が対応する蓄熱材の転換温度より高い状態」が実現されている場合、蓄熱材Ｍ１、Ｍ２、Ｍ３の全ての蓄熱材に蓄熱させることができる。この結果、反応部Ｒ１全体として蓄熱材に蓄熱される熱の量を大きくすることができる。
【００５３】
ここで、蓄熱状態を安定して実現・維持するためには、雰囲気圧力によって変化する蓄熱材Ｍ１、Ｍ２、及び、Ｍ３のそれぞれの転換温度を制御する（例えば、一定に維持する）必要がある。即ち、蓄熱状態では、凝縮器ＤＢ内の水は、水蒸気から水への相転移（凝縮）に起因する凝縮熱を受ける。従って、ＤＢ内の水の温度を調整しないと、ＤＢ内の水の温度が上昇していく。ＤＢ内の水の温度が上昇していくと、水の蒸気圧が上昇することに起因して、反応器Ｒ１１、Ｒ１２、及び、Ｒ１３内の蓄熱材Ｍ１、Ｍ２、及びＭ３を取り巻く雰囲気圧力も上昇する。この雰囲気圧力が上昇すると、Ｍ１、Ｍ２、及び、Ｍ３の転換温度がそれぞれ上昇する。
【００５４】
この点、本実施形態では、蓄熱状態にて、蓄熱材Ｍ１、Ｍ２、及びＭ３のそれぞれの転換温度を制御する（例えば、一定に維持する）ため、凝縮器ＤＢには、配管Ｈ２２、熱交換器Ｅ、及び、配管Ｈ２３からなる「凝縮器流体通路」が設けられている。「凝縮器流体通路」には、ＤＢ内の水の温度を調整する（例えば、一定に維持する）ため、流体（例えば、水）が流される。
【００５５】
具体的には、図２に示すように、「凝縮器流体通路」は、冷却装置Ｋと接続される。冷却装置Ｋでは、「凝縮器流体通路」の第１側（配管Ｈ２２）から流出した温度の高い流体がモータ駆動のファンを用いて冷却され、冷却された流体がポンプ（図示せず）を利用して「凝縮器流体通路」の第２側（配管Ｈ２３）に導入される。これにより、ＤＢ内の水が、「凝縮器流体通路」を流れる流体と熱交換することによって、冷却される。この結果、ＤＢ内の水の温度が調整され得る（例えば、一定に維持され得る）。なお、ＤＢには、ＤＢ内に過剰に貯留された水を排出するための排出弁が設けられている。
【００５６】
［保管状態］
このようにして反応部Ｒ１の蓄熱材Ｍ１、Ｍ２、及び、Ｍ３に蓄熱された熱を保管する際には、四方弁Ｖ４が、配管Ｈ１８と、配管Ｈ２１及びＨ２０と、の接続が遮断されるように設定される。また、ポンプＰ１、Ｐ４が停止する。これにより、凝縮器ＤＢ内にある水から発生する水蒸気が反応部Ｒ１に移動し得なくなる。従って、Ｍ１、Ｍ２、及び、Ｍ３のそれぞれと水蒸気との上記「発熱反応」が発生し得なくなる。即ち、Ｒ１１、Ｒ１２、及び、Ｒ１３内の蓄熱材Ｍ１、Ｍ２、及び、Ｍ３が「脱水物」の状態に維持される。この結果、四方弁Ｖ４が上記の状態に維持される任意の期間に亘って、反応部Ｒ１の蓄熱材Ｍ１、Ｍ２、及び、Ｍ３（＝脱水物）に蓄熱された熱がそれら自体に保管され得る。
【００５７】
[放熱状態]
放熱状態では、図３に示すように、四方弁Ｖ１が、配管Ｈ２と配管Ｈ１４が接続されるように設定され、四方弁Ｖ３が、配管Ｈ１５と配管Ｈ５が接続されるように設定され、四方弁Ｖ４が、配管Ｈ２０と配管Ｈ１８が接続されるように設定される。加えて、ポンプＰ３が作動する。
【００５８】
ポンプＰ３の作動により、「入ガス」（例えば、工場から排出される高温の排ガス）が、配管Ｈ１５を介して、「第１流体通路」の第１側（配管Ｈ５）から「第１流体流路」に導入されて、「第１流体流路」の第２側（配管Ｈ２）に向けて流され、その後、配管Ｈ１４を経由して、「出ガス」として外部に排出される。
【００５９】
従って、「第１流体通路」内では、「第１流体通路」の第１側から導入された入ガスは、Ｒ１３内の熱交換器Ｅ、Ｒ１２内の熱交換器Ｅ、Ｒ１１内の熱交換器Ｅをこの順に通過し、その後、「第１流体通路」の第２側へと移動していく。
【００６０】
四方弁Ｖ４の上述した設定により、蒸発器ＤＡと各反応器（Ｒ１１、Ｒ１２、Ｒ１３）とが接続されているので、ＤＡ内にある水の相転移（蒸発）によって発生した水蒸気が各反応器内にそれぞれ移動する。この結果、上記「第１の性質」により、各反応器内にて、蓄熱材と「水蒸気」との上記「発熱反応」が発生し、各反応器内にて、蓄熱材がそれぞれ放熱するとともに、それらの水和物にそれぞれ変化する。
【００６１】
「第１流体流路」を流れる入ガスが、各反応器内の熱交換器Ｅをそれぞれ通過する際、入ガスが、対応する反応器内の蓄熱材の上記「発熱反応」に伴う「放熱」に起因する熱をそれぞれ受ける。この結果、入ガスの温度は、各反応器について、熱交換器Ｅを通過する前より通過した後の方が高くなる。換言すれば、出ガスの温度を入ガスの温度より高くすることができる。なお、この「発熱反応」は、各反応器内の熱交換器Ｅを通過する入ガスの温度が対応する反応器内の蓄熱材の転換温度未満の場合に限って発生し得る。換言すれば、各反応器内の熱交換器Ｅを通過する入ガスの温度を対応する反応器内の蓄熱材の転換温度以上に上げることができない。各反応器内にて、この「発熱反応」は、蓄熱材がなくなるまで、又は、ＤＡ内にて水がなくなるまで、継続され得る。
【００６２】
以上、放熱状態では、入ガスを第１側（配管Ｈ５）から「第１流体通路」に流入することによって、「入ガスが、Ｒ１３、Ｒ１２、Ｒ１１内の熱交換器Ｅのそれぞれを通過する際に、入ガスの温度が対応する蓄熱材の転換温度より低い状態」が実現されている場合、蓄熱材Ｍ１、Ｍ２、Ｍ３の全ての蓄熱材に放熱させることができる。この結果、反応部Ｒ１全体として、配管１４から取り出される「出ガス」に含まれる熱の量を大きくすることができる。
【００６３】
ここで、放熱状態を安定して実現・維持するためには、雰囲気圧力によって変化する蓄熱材Ｍ１、Ｍ２、及び、Ｍ３のそれぞれの転換温度を制御する（例えば、一定に維持する）必要がある。即ち、放熱状態では、蒸発器ＤＡ内の水は、水から水蒸気への相転移（蒸発）に起因する蒸発熱を奪われる。従って、ＤＡ内の水の温度を調整しないと、ＤＡ内の水の温度が低下していく。ＤＡ内の水の温度が低下していくと、水の蒸気圧が低下することに起因して、反応器Ｒ１１、Ｒ１２、及び、Ｒ１３内の蓄熱材Ｍ１、Ｍ２、及び、Ｍ３を取り巻く雰囲気圧力も低下する。この雰囲気圧力が低下すると、Ｍ１、Ｍ２、及び、Ｍ３の転換温度がそれぞれ低下する。
【００６４】
この点、本実施形態では、放熱状態にて、蓄熱材Ｍ１、Ｍ２、及びＭ３のそれぞれの転換温度を制御する（例えば、一定に維持する）ため、蒸発器ＤＡには、配管Ｈ７、熱交換器Ｅ、及び、配管Ｈ８からなる「蒸発器流体通路」が設けられている。「蒸発器流体通路」には、ＤＡ内の水の温度を調整する（例えば、一定に維持する）ため、流体（例えば、水）が流される。
【００６５】
具体的には、図３に示すように、「蒸発器流体通路」の配管Ｈ７は、加熱装置Ｌと接続される。加熱装置Ｌでは、配管Ｈ６を経由して温度の高い流体が「蒸発器流体通路」の第１側（配管Ｈ７）に導入される。これにより、ＤＡ内の水が、「蒸発器流体通路」を流れる流体と熱交換することによって、暖められる。この結果、ＤＡ内の水の温度が調整され得る（例えば、一定に維持され得る）。なお、ＤＡには、ＤＡ内にて不足している水を補充するための導入弁が設けられている。以上、反応部Ｒ１単独の作動（及び、反応部Ｒ２単独の作動）について説明した。
【００６６】
＜本実施形態全体の作動＞
次に、本実施形態全体の作動について説明する。上述のように、上記放熱状態（即ち、上記発熱反応）は、反応部内にて蓄熱材そのもの（＝脱水物）がなくなるまで継続され得る。換言すれば、上記放熱状態では、反応部内にて蓄熱材そのものがなくなる時期までは、入ガスより温度が高い出ガスを取り出すことができる一方で、その後は、入ガスより温度が高い出ガスを取り出すことができない。加えて、単一の反応部内に含まれ得る蓄熱材の量には限度がある。
【００６７】
従って、単一の反応部が利用される構成では、上記放熱状態において、図４に示すように、出ガスの温度を「目標温度」（＝入ガスの温度より高い温度であり、放熱状態にある反応部の蓄熱材の転換温度と等しい）で（略）一定に維持できる期間にも限度がある。換言すれば、単一の反応部が利用される構成では、出ガスの温度を任意の長期間に亘って「目標温度」で（略）一定に維持したい、という要求があった場合に、その要求を達成することができない。
【００６８】
そこで、本実施形態では、上述のように、２つの反応部（反応部Ｒ１、及び、反応部Ｒ２）が同時に利用される。即ち、単一の反応部にて出ガスの温度を「目標温度」で一定に維持できる最大の期間を「継続期間ＴＡ」（一定）としたとき（図４を参照）、本実施形態では、「反応部Ｒ１が蓄熱状態に設定され、且つ。反応部Ｒ２が放熱状態に設定された第１状態」と、「反応部Ｒ１が放熱状態に設定され、且つ、反応部Ｒ２が蓄熱状態に設定された第２状態」と、を「継続期間ＴＡ」が経過する毎に交互に実現される。
【００６９】
具体的には、図５に示すように、上記「第１状態」では、四方弁Ｖ１が、配管Ｈ１と配管Ｈ２が接続されるように、且つ、配管Ｈ１３と配管Ｈ１４が接続されるように設定される。四方弁Ｖ２が、配管Ｈ９と配管Ｈ１０が接続されるように設定される。四方弁Ｖ３が、配管Ｈ５と配管Ｈ６が接続されるように設定される。四方弁Ｖ４が、配管Ｈ１８と配管Ｈ２１が接続されるように、且つ、配管Ｈ１９と配管Ｈ２０が接続されるように設定される。加えて、ポンプＰ１、Ｐ２、及びＰ４が作動する。入ガスが、配管Ｈ１、及び、配管Ｈ９から導入され、出ガスが、配管Ｈ１４から取り出される。
【００７０】
即ち、図５に示すように、蓄熱状態にある反応部Ｒ１では、配管Ｈ１を介して導入された「入ガス」が、「第１流体通路」の第２側（配管Ｈ２）から「第１流体通路」に導入されて、「第１流体通路」の第１側（配管Ｈ５）に向けて流され、その後、配管Ｈ６、配管Ｈ７、蒸発器ＤＡ内の熱交換器Ｅ、配管Ｈ８を経由して、外部に排出される。同時に、放熱状態にある反応部Ｒ２では、配管Ｈ９を介して導入された「入ガス」が、「第２流体通路」の第１側（配管Ｈ１０）から「第２流体流路」に導入されて、「第２流体流路」の第２側（配管Ｈ１３）に向けて流され、その後、配管Ｈ１４を経由して、「出ガス」として外部に排出される。
【００７１】
なお、上記「第１状態」では、反応部Ｒ２内の蓄熱材Ｍ１、Ｍ２、及び、Ｍ３の転換温度を、反応部Ｒ１内の蓄熱材Ｍ１、Ｍ２、及び、Ｍ３の転換温度より高くするため、反応部Ｒ２と接続されている蒸発器ＤＡ内の水蒸気の温度が、反応部Ｒ１と接続されている凝縮部ＤＢ内の水蒸気の温度より高くなるように、加熱装置Ｌ、及び、冷却装置Ｋが制御されている。この結果、「反応部Ｒ１内の各反応器の熱交換器Ｅを通過する入ガスの温度が対応する反応器内の蓄熱材の転換温度以上となり、且つ、反応部Ｒ２内の各反応器の熱交換器Ｅを通過する入ガスの温度が対応する反応器内の蓄熱材の転換温度未満となる状態」が実現されている。
【００７２】
一方、図６に示すように、上記「第２状態」では、四方弁Ｖ１が、配管Ｈ２と配管Ｈ１４が接続されるように、且つ、配管Ｈ１と配管Ｈ１３が接続されるように設定される。四方弁Ｖ２が、配管Ｈ６と配管Ｈ１０が接続されるように設定される。四方弁Ｖ３が、配管Ｈ１５と配管Ｈ５が接続されるように設定される。四方弁Ｖ４が、配管Ｈ１８と配管Ｈ２０が接続されるように、且つ、配管Ｈ１９と配管Ｈ２１が接続されるように設定される。加えて、ポンプＰ１、Ｐ３、及びＰ４が作動する。入ガスが、配管Ｈ１、及び、配管Ｈ１５から導入され、出ガスが、配管Ｈ１４から取り出される。
【００７３】
即ち、図６に示すように、蓄熱状態にある反応部Ｒ２では、配管Ｈ１を介して導入された「入ガス」が、「第２流体通路」の第２側（配管Ｈ１３）から「第２流体通路」に導入されて、「第２流体通路」の第１側（配管Ｈ１０）に向けて流され、その後、配管Ｈ６、配管Ｈ７、蒸発器ＤＡ内の熱交換器Ｅ、配管Ｈ８を経由して、外部に排出される。同時に、放熱状態にある反応部Ｒ１では、配管Ｈ１５を介して導入された「入ガス」が、「第１流体通路」の第１側（配管Ｈ５）から「第１流体流路」に導入されて、「第１流体流路」の第２側（配管Ｈ２）に向けて流され、その後、配管Ｈ１４を経由して、「出ガス」として外部に排出される。
【００７４】
なお、上記「第２状態」でも、上記「第１状態」と同様、反応部Ｒ１内の蓄熱材Ｍ１、Ｍ２、及び、Ｍ３の転換温度を、反応部Ｒ２内の蓄熱材Ｍ１、Ｍ２、及び、Ｍ３の転換温度より高くするため、反応部Ｒ１と接続されている蒸発器ＤＡ内の水蒸気の温度が、反応部Ｒ２と接続されている凝縮部ＤＢ内の水蒸気の温度より高くなるように、加熱装置Ｌ、及び、冷却装置Ｋが制御されている。この結果、「反応部Ｒ２内の各反応器の熱交換器Ｅを通過する入ガスの温度が対応する反応器内の蓄熱材の転換温度以上となり、且つ、反応部Ｒ１内の各反応器の熱交換器Ｅを通過する入ガスの温度が対応する反応器内の蓄熱材の転換温度未満となる状態」が実現されている。
【００７５】
以上のように、上記「第１状態」及び上記「第２状態」の何れにおいても、「出ガス」を配管Ｈ１４から取り出すことができる。従って、上記「第１状態」と上記「第２状態」とを「継続期間ＴＡ」が経過する毎に交互に実現することによって、図７に示すように、配管Ｈ１４から取り出される出ガスの温度を、任意の長期間に亘って「目標温度」で（略）一定に維持することができる。
【００７６】
＜蓄熱材の劣化に対する対処＞
ところで、一般に、反応部内に含まれる蓄熱材は、上記発熱反応及び吸熱反応に供される延べ時間が長くなるにつれて次第に劣化していく。ここで、「蓄熱材の劣化」とは、蓄熱材の単位質量当たりに蓄熱できる熱の量が低下する現象を指す。
【００７７】
蓄熱材の劣化が進行した場合、各反応部について、図８に示すように、出ガスの温度を「目標温度」で一定に維持できる期間が短くなる現象が発生し得る。本実施形態のように、「第１状態」と「第２状態」とを「継続期間ＴＡ」が経過する毎に交互に実現する場合において、蓄熱材の劣化が進行した場合、各反応部について、図８に示すように、出ガスの温度を「目標温度」で一定に維持できる期間が「継続期間ＴＡ」より短くなると、図９に示すように、「第１状態」と「第２状態」との切替時期の直前毎に、出ガスの温度が「目標温度」より著しく低下する現象が発生し得る。換言すれば、出ガスの温度を安定して「目標温度」で（略）一定に維持することができない。
【００７８】
ここで、各反応部について、上記蓄熱状態における「流体通路」内のガスの流れ方向（以下、「蓄熱時流れ方向」と呼ぶ）と、上記放熱状態における「流体通路」内のガスの流れ方向（以下、「放熱時流れ方向」と呼ぶ）と、に着目する。
【００７９】
本発明者の検討により、「蓄熱時流れ方向」と「放熱時流れ方向」とが同一か反対かで、蓄熱材の劣化が進行した場合において出ガスの温度を「目標温度」で一定に維持できる期間が短くなる程度に差異があることが判明した。
【００８０】
本実施形態では、上述した図５及び図６から理解できるように、各反応部について、蓄熱状態では、対応する「流体通路」の第２側から第１側に向けて入ガスが流され、放熱状態では、対応する「流体通路」の第１側から第２側に向けて入ガスが流されている。即ち、各反応部について、「蓄熱時流れ方向」と「放熱時流れ方向」とが反対となっている。
【００８１】
本発明者の検討によれば、本実施形態のように、「蓄熱時流れ方向」と「放熱時流れ方向」とが反対の場合、「蓄熱時流れ方向」と「放熱時流れ方向」とが同一の場合（以下、「比較例」と呼ぶ）と比べて、蓄熱材の劣化が進行した場合において「出ガスの温度を目標温度で一定に維持できる期間が短くなる程度が小さいこと」が判明した。以下、この点について、図１０及び図１１を参照しながら説明する。反応部Ｒ１及び反応部Ｒ２のそれぞれについて全く同じ説明が適用され得るので、図１０及び図１１では、反応部Ｒ１のみについて記載されている。なお、図１０及び図１１では、反応部Ｒ１、Ｒ２共に、蓄熱材Ｍ１、Ｍ２、及びＭ３として、同じ材料が使用される場合が想定される。
【００８２】
先ず、比較例について図１０を参照しながら説明する。比較例では、「第１状態」と「第２状態」とが「継続期間ＴＡ」が経過する毎に交互に実現される際、反応部Ｒ１について、図１０に示すように、蓄熱状態及び放熱状態の何れにおいても、「第１流体通路」の第１側（配管Ｈ５）から第２側（配管Ｈ２）に向けて入ガスが流される。なお、反応部Ｒ２についても、反応部Ｒ１と同様、蓄熱状態及び放熱状態の何れにおいても、「第２流体通路」の第１側（配管Ｈ１０）から第２側（配管Ｈ１３）に向けて入ガスが流される。
【００８３】
[比較例において、蓄熱材が新品（劣化：０％）の場合]
蓄熱材が新品の場合、図１０における左の真ん中の棒グラフに示すように、この比較例では、「第１状態」と「第２状態」とが「継続期間ＴＡ」が経過する毎に交互に実現される際、反応部Ｒ１の蓄熱状態の終了時点毎に、反応器Ｒ１３、Ｒ１２、Ｒ１１のそれぞれの蓄熱率が１００％、７０％、４０％となる。反応部Ｒ１全体としては、蓄熱率が７０％となる。ここで、「蓄熱率」とは、「蓄熱材に蓄熱し得る熱量の最大値」に対する「蓄熱材に現在蓄熱されている熱量」の割合を指す。このように、「継続期間ＴＡ」は、反応部の蓄熱率が１００％未満の或る値（例えば、６０〜８０％）になるように設定される。
【００８４】
換言すれば、反応部Ｒ１内において、入ガスの流れ方向の上流側から下流側にかけて、蓄熱率が次第に減少していく。これは、入ガスの流れ方向の上流側から下流側にかけて、「入ガスの温度」が次第に減少していくことによって、「入ガスの温度」と「蓄熱材の転換温度」（反応部Ｒ１内にて一定）との温度差が次第に減少していくことに基づく、と考えられる。前記温度差が大きいほど、入ガスの熱が蓄熱材に伝達し易いので、蓄熱材の上記「吸熱反応」（即ち、蓄熱材の蓄熱）が発生し易い。
【００８５】
蓄熱材が新品の場合、図１０における右の真ん中の棒グラフに示すように、この比較例では、「第１状態」と「第２状態」とが「継続期間ＴＡ」が経過する毎に交互に実現される際、反応部Ｒ１の放熱状態の開始時点毎に、反応器Ｒ１３、Ｒ１２、Ｒ１１のそれぞれの放熱率が１００％、７０％、４０％となる。これは、上述のように、反応部Ｒ１の蓄熱状態の終了時点毎に、反応器Ｒ１３、Ｒ１２、Ｒ１１のそれぞれの蓄熱率が１００％、７０％、４０％となることに基づく。ここで、「放熱率」とは、「蓄熱材が放熱し得る熱量の最大値」に対する「蓄熱材が現在放熱し得る熱量」の割合を指す。
【００８６】
この結果、図１０における右端の真ん中のグラフの特性線ＴＳに示すように、反応部Ｒ１の放熱状態の開始時点では、入ガスの流れ方向の上流側から下流側にかけて、入ガスの温度が、先ず、配管Ｈ５内の温度から急激に上昇して「目標温度」（＝蓄熱材の転換温度）まですぐに到達し、その後、「目標温度」で一定に推移している。従って、配管Ｈ２内の入ガスの温度（＝出ガスの温度）は、「目標温度」になっている。これは、入ガスの流れ方向の下流側では放熱率が比較的小さい一方で、入ガスの流れ方向の上流側では放熱率が極端に大きいことに基づく、と考えられる。
【００８７】
反応部Ｒ１の放熱状態の開始から時間が経過するにつれて、反応器Ｒ１３、Ｒ１２、Ｒ１１のそれぞれの放熱率が低下していく。このため、反応部Ｒ１の放熱状態の終了時点では、反応器Ｒ１３、Ｒ１２、Ｒ１１のそれぞれの放熱率がかなり低下している。このため、図１０における右端の真ん中のグラフの特性線ＴＬに示すように、反応部Ｒ１の放熱状態の終了時点では、入ガスの流れ方向の上流側から下流側にかけて、入ガスの温度が、配管Ｈ５内の温度から、比較的緩やかに「目標温度」（＝蓄熱材の転換温度）に向けて上昇し、下流側付近で「目標温度」に達している。従って、配管Ｈ２内の入ガスの温度（＝出ガスの温度）は、なおも「目標温度」に維持されている。
【００８８】
即ち、この比較例では、蓄熱材が新品の場合、反応部Ｒ１について、上述した図４に示すように、放熱状態の開始から終了までの「継続期間ＴＡ」に亘って、出ガスの温度が「目標温度」に維持され得る。このことは、反応部Ｒ２についても当てはまる。従って、上述した図７に示すように、配管Ｈ１４から取り出される出ガスの温度を、任意の長期間に亘って「目標温度」で（略）一定に維持することができる。
【００８９】
[比較例において、蓄熱材が劣化（劣化：２０％）した場合]
蓄熱材が劣化（劣化：２０％）した場合、図１０における左下の棒グラフに示すように、この比較例では、反応部Ｒ１の蓄熱状態の終了時点毎に、反応器Ｒ１３、Ｒ１２、Ｒ１１のそれぞれの蓄熱率が８０％、５６％、３２％となる。反応部Ｒ１全体としては、蓄熱率が７０％となる。
【００９０】
このため、図１０における右下の棒グラフに示すように、この比較例では、反応部Ｒ１の放熱状態の開始時点毎に、反応器Ｒ１３、Ｒ１２、Ｒ１１のそれぞれの放熱率が８０％、５６％、３２％となる。
【００９１】
この結果、図１０における右端の下のグラフの特性線ＴＳに示すように、反応部Ｒ１の放熱状態の開始時点では、入ガスの流れ方向の上流側から下流側にかけて、入ガスの温度が、先ず、配管Ｈ５内の温度から比較的急激に上昇して「目標温度」（＝蓄熱材の転換温度）まで到達し、その後、「目標温度」で一定に推移している。従って、配管Ｈ２内の入ガスの温度（＝出ガスの温度）は、「目標温度」になっている。入ガス温度の上昇勾配が「蓄熱材が新品の場合」と比べて小さいのは、反応器Ｒ１３内の蓄熱材の放熱率が「蓄熱材が新品の場合」と比べて小さくなっていることに基づく。
【００９２】
反応部Ｒ１の放熱状態の開始から時間が経過するにつれて、反応器Ｒ１３、Ｒ１２、Ｒ１１のそれぞれの放熱率が低下していく。このため、反応部Ｒ１の放熱状態の終了時点では、反応器Ｒ１３、Ｒ１２、Ｒ１１のそれぞれの放熱率が大きく低下している。このため、図１０における右端の下のグラフの特性線ＴＬに示すように、反応部Ｒ１の放熱状態の終了時点では、入ガスの流れ方向の上流側から下流側にかけて、入ガスの温度が、配管Ｈ５内の温度から、非常に緩やかに「目標温度」（＝蓄熱材の転換温度）に向けて上昇し、下流側付近でもなお「目標温度」に達していない。従って、配管Ｈ２内の入ガスの温度（＝出ガスの温度）は、「目標温度」よりかなり低い温度になっている。
【００９３】
即ち、この比較例では、蓄熱材が劣化（劣化：２０％）した場合、反応部Ｒ１について、上述した図８に示すように、放熱状態において、出ガスの温度を「目標温度」で一定に維持できる期間が「継続期間ＴＡ」より短くなる。このことは、反応部Ｒ２についても当てはまる。従って、上述した図９に示すように、「第１状態」と「第２状態」との切替時期の直前毎に、配管Ｈ１４から取り出される出ガスの温度が「目標温度」より著しく低下する現象が発生し得る。
【００９４】
次に、本実施形態について図１１を参照しながら説明する。本実施形態では、「第１状態」と「第２状態」とが「継続期間ＴＡ」が経過する毎に交互に実現される際、反応部Ｒ１について、図１１に示すように、放熱状態では、「第１流体通路」の第１側（配管Ｈ５）から第２側（配管Ｈ２）に向けて入ガスが流される一方で、蓄熱状態では、「第１流体通路」の第２側（配管Ｈ２）から第１側（配管Ｈ５）に向けて入ガスが流される。なお、反応部Ｒ２についても、反応部Ｒ１と同様、放熱状態では、「第２流体通路」の第１側（配管Ｈ１０）から第２側（配管Ｈ１３）に向けて入ガスが流される一方で、蓄熱状態では、「第２流体通路」の第２側（配管Ｈ１３）から第１側（配管Ｈ１０）に向けて入ガスが流される。
【００９５】
[本実施形態において、蓄熱材が新品（劣化：０％）の場合]
蓄熱材が新品の場合、図１１における左の真ん中の棒グラフに示すように、本実施形態では、「第１状態」と「第２状態」とが「継続期間ＴＡ」が経過する毎に交互に実現される際、反応部Ｒ１の蓄熱状態の終了時点毎に、反応器Ｒ１１、Ｒ１２、Ｒ１３のそれぞれの蓄熱率が１００％、７０％、４０％となるように構成した。反応部Ｒ１全体としては、蓄熱率が７０％となるように構成した。即ち、上述した比較例と同様、反応部Ｒ１内において、入ガスの流れ方向の上流側から下流側にかけて、蓄熱率が次第に減少していく。
【００９６】
蓄熱材が新品の場合、図１１における右の真ん中の棒グラフに示すように、本実施形態では、「第１状態」と「第２状態」とが「継続期間ＴＡ」が経過する毎に交互に実現される際、反応部Ｒ１の放熱状態の開始時点毎に、反応器Ｒ１１、Ｒ１２、Ｒ１３のそれぞれの放熱率が１００％、７０％、４０％となる。
【００９７】
この結果、図１１における右端の真ん中のグラフの特性線ＴＳに示すように、反応部Ｒ１の放熱状態の開始時点では、入ガスの流れ方向の上流側から下流側にかけて、入ガスの温度が、配管Ｈ５内の温度から比較的急激に上昇して「目標温度」（＝蓄熱材の転換温度）まで到達し、その後、「目標温度」で一定に推移している。従って、配管Ｈ２内の入ガスの温度（＝出ガスの温度）は、「目標温度」になっている。これは、入ガスの流れ方向の上流側では放熱率が比較的小さい一方で、入ガスの流れ方向の下流側では放熱率が極端に大きいことに基づく、と考えられる。
【００９８】
反応部Ｒ１の放熱状態の開始から時間が経過するにつれて、反応器Ｒ１１、Ｒ１２、Ｒ１３のそれぞれの放熱率が低下していく。このため、反応部Ｒ１の放熱状態の終了時点では、反応器Ｒ１１、Ｒ１２、Ｒ１３のそれぞれの放熱率がかなり低下している。このため、図１１における右端の真ん中のグラフの特性線ＴＬに示すように、反応部Ｒ１の放熱状態の終了時点では、入ガスの流れ方向の上流側から下流側にかけて、入ガスの温度が、配管Ｈ５内の温度から、比較的緩やかに「目標温度」（＝蓄熱材の転換温度）に向けて上昇し、下流側付近で「目標温度」に達している。従って、配管Ｈ２内の入ガスの温度（＝出ガスの温度）は、なおも「目標温度」に維持されている。
【００９９】
即ち、本実施形態では、蓄熱材が新品の場合、反応部Ｒ１について、上述した図４に示すように、放熱状態の開始から終了までの「継続期間ＴＡ」に亘って、出ガスの温度が「目標温度」に維持され得る。このことは、反応部Ｒ２についても当てはまる。従って、上述した図７に示すように、配管Ｈ１４から取り出される出ガスの温度を、任意の長期間に亘って「目標温度」で（略）一定に維持することができる。
【０１００】
[本実施形態において、蓄熱材が劣化（劣化：２０％）した場合]
蓄熱材が劣化（劣化：２０％）した場合、図１１における左下の棒グラフに示すように、本実施形態では、反応部Ｒ１の蓄熱状態の終了時点毎に、反応器Ｒ１１、Ｒ１２、Ｒ１３のそれぞれの蓄熱率が８０％、５６％、３２％となるように構成した。反応部Ｒ１全体としては、蓄熱率が７０％となるように構成した。
【０１０１】
このため、図１１における右下の棒グラフに示すように、本実施形態では、反応部Ｒ１の放熱状態の開始時点毎に、反応器Ｒ１１、Ｒ１２、Ｒ１３のそれぞれの放熱率が８０％、５６％、３２％となる。
【０１０２】
この結果、図１１における右端の下のグラフの特性線ＴＳに示すように、反応部Ｒ１の放熱状態の開始時点では、入ガスの流れ方向の上流側から下流側にかけて、入ガスの温度が、配管Ｈ５内の温度から比較的急激に上昇して「目標温度」（＝蓄熱材の転換温度）まで到達し、その後、「目標温度」で一定に推移している。従って、配管Ｈ２内の入ガスの温度（＝出ガスの温度）は、「目標温度」になっている。入ガス温度の上昇勾配が「蓄熱材が新品の場合」と比べて小さいのは、反応器Ｒ１３内の蓄熱材の放熱率が「蓄熱材が新品の場合」と比べて小さくなっていることに基づく。
【０１０３】
反応部Ｒ１の放熱状態の開始から時間が経過するにつれて、反応器Ｒ１１、Ｒ１２、Ｒ１３のそれぞれの放熱率が低下していく。このため、反応部Ｒ１の放熱状態の終了時点では、反応器Ｒ１１、Ｒ１２、Ｒ１３のそれぞれの放熱率が大きく低下している。しかしながら、図１１における右端の下のグラフの特性線ＴＬに示すように、反応部Ｒ１の放熱状態の終了時点でも、反応部Ｒ１の放熱状態の開始時点と同様（特性線ＴＳを参照）、入ガスの流れ方向の上流側から下流側にかけて、入ガスの温度が、配管Ｈ５内の温度から上昇して「目標温度」（＝蓄熱材の転換温度）まで到達し、その後、「目標温度」で一定に推移している。従って、配管Ｈ２内の入ガスの温度（＝出ガスの温度）は、「目標温度」になっている。これは、入ガスの流れ方向の上流側では放熱率が極端に小さい一方で、入ガスの流れ方向の下流側では放熱率がなおも十分に大きいことに基づく、と考えられる。
【０１０４】
即ち、本実施形態では、蓄熱材が劣化（劣化：２０％）した場合であっても、反応部Ｒ１について、上述した図４に示すように、放熱状態の開始から終了までの「継続期間ＴＡ」に亘って、出ガスの温度が「目標温度」に維持され得る。このことは、反応部Ｒ２についても当てはまる。従って、上述した図７に示すように、配管Ｈ１４から取り出される出ガスの温度を、任意の長期間に亘って「目標温度」で（略）一定に維持することができる。
【０１０５】
以上、本実施形態（「蓄熱時流れ方向」と「放熱時流れ方向」とが反対の場合）では、上記比較例（「蓄熱時流れ方向」と「放熱時流れ方向」とが同一の場合）と比べて、「第１状態」と「第２状態」との切替時期の直前毎に出ガスの温度が「目標温度」より著しく低下する現象（図９を参照）、が発生し難い。換言すれば、出ガスの温度を任意の長期間に亘ってより安定して「目標温度」で（略）一定に維持することができる。
【０１０６】
本発明は上記本実施形態に限定されることはなく、本発明の範囲内において種々の変形例を採用することができる。例えば、上記本実施形態では、各反応部（反応部Ｒ１、Ｒ２）が、３つの別個独立した反応器で構成されているが、各反応部が、１つの連続した反応器で構成されてもよい。
【０１０７】
また、上記本実施形態では、「第１状態」と「第２状態」との切替時期を決定する「継続期間ＴＡ」が、実験等を通して事前に決定された時間（＝一定時間）となっているが、反応部内の状態（例えば、蓄熱材の劣化度合い）に応じて「継続期間ＴＡ」が変化してもよい。
【０１０８】
また、上記本実施形態では、前記「複数の反応部」として２つの反応部Ｒ１、Ｒ２が設けられているが、前記「複数の反応部」として３つ以上の反応部が設けられていても良い。この場合、「制御部」は、「第１期間」が経過する毎に、「複数の反応部」の中から選択される「放熱用反応部」を順次変更していく。「制御部」は、「放熱用反応部」に対応する「流体通路」に対して、「放熱用反応部」に含まれる蓄熱材の転換温度より温度が低い流体を、「流体通路」の第１側から第２側に向けて「第１期間」に亘って流すことによって、「放熱用反応部」を、「第１期間」に亘って「放熱状態」に設定する。加えて、「制御部」は、各反応部について、「放熱用反応部」として今回選択されている期間が終了した後、且つ、「放熱用反応部」として次回選択される期間が開始するまでの間において、反応部に含まれる蓄熱材の転換温度より温度が高い流体を、「流体通路」の第２側から第１側に向けて「第２期間」に亘って流すことによって、反応部を、「第２期間」に亘って「蓄熱状態」に設定する。
【０１０９】
この場合、「第１期間」の長さと「第２期間」の長さとは、同じであっても異なっていてもよい。また、「第１期間」の長さと「第２期間」の長さは、一定でもよいし、反応部の状態に応じて変化してもよい。また、「複数の反応部」の中から「放熱用反応部」として選択される反応部の順番は、予め定められていてもよいし、反応部の状態に応じて変化してもよい。「複数の反応部」のうち「放熱用反応部」として選択されている反応部は、「放熱状態」に設定される一方で、「複数の反応部」のうち「放熱用反応部」として選択されていない反応部は、「蓄熱状態」又は「保管状態」に設定される。
【０１１０】
また、上記本実施形態では、各「流体通路」が連続する１本の通路で構成されているが、各「流体通路」が並列に接続された連続する複数の通路で構成されてもよい。
【０１１１】
また、上記本実施形態では、転換温度が異なる３種類の蓄熱材Ｍ１、Ｍ２、及び、Ｍ３として、それぞれ、ＣａＯ、ＭｇＯ、及び、ＣａＳＯ４が使用されているが、Ｍ３について、ＣａＳＯ４に代えてＣａＣｌ２が使用されてもよい。
【０１１２】
即ち、ＣａＣｌ２は、ＣａＳＯ４と同様、上記第１の性質（＝「水蒸気との発熱反応によって水和物になるとともに放熱する」という性質）、並びに、上記第２の性質（＝「外部から熱を受けて、水和物の吸熱反応によって水和物から水蒸気を放出して脱水されるとともに蓄熱する」という性質）を有する。
【０１１３】
ＣａＣｌ２は、下記(４)式に示す反応に関係する。（４）式において、「Ｑ」は熱エネルギーを示し、「ｎ」は任意の自然数である。(４)式において、ＣａＣｌ２・ｎＨ２Ｏは、ＣａＣｌ２の水和物である。
【０１１４】
ＣａＣｌ２・ｎＨ２Ｏ＋Ｑ→ＣａＣｌ２＋ｎＨ２Ｏ  （吸熱反応）
ＣａＣｌ２・ｎＨ２Ｏ＋Ｑ←ＣａＣｌ２＋ｎＨ２Ｏ  （発熱反応）  …(４)
【０１１５】
上記のように、蓄熱材Ｍ１、Ｍ２、及びＭ３として、ＣａＯ、ＭｇＯ、及び、ＣａＣｌ２が使用される場合においても、（任意の雰囲気圧力において）「ＣａＯ（＝Ｍ１）の転換温度がＭｇＯ（＝Ｍ２）の転換温度より高く、ＭｇＯ（＝Ｍ２）の転換温度がＣａＣｌ２（＝Ｍ３）の転換温度より高い」という関係が成立する。
【０１１６】
また、上記本実施形態では、転換温度が異なる複数種類の蓄熱材として、上記第１の性質、及び、上記第２の性質を有する蓄熱材が使用されているが、「炭酸ガスとの発熱反応によって炭酸物になるとともに放熱する」という性質」（第３の性質）、並びに、「外部から熱を受けて、炭酸物の吸熱反応によって炭酸物から炭酸ガスを放出して脱炭酸されるとともに蓄熱する」という性質）（第４の性質）を有する蓄熱材が使用されてもよい。
【０１１７】
上記第３の性質、及び、上記第４の性質を有する、転換温度が異なる２種類の蓄熱材Ｍ１、及びＭ２の具体例として、それぞれ、ＣａＯ、及び、ＭｇＯが挙げられる。なお、この場合における「転換温度」とは、「蓄熱材そのもの（＝脱炭酸物）」と「その炭酸物」との間での状態の変化に関する温度の臨界点に相当する温度」と定義される。
【０１１８】
ＣａＯ、及び、ＭｇＯは、それぞれ、下記(５)式、及び、（６）式に示す反応に関係する。各式において、「Ｑ」は熱エネルギーを示す。(５)式において、ＣａＣＯ３は、ＣａＯの炭酸物であり、(６)式において、ＭｇＣＯ３は、ＭｇＯ炭酸物である。
【０１１９】
ＣａＣＯ３＋Ｑ→ＣａＯ＋ＣＯ２  （吸熱反応）
ＣａＣＯ３＋Ｑ←ＣａＯ＋ＣＯ２  （発熱反応）  …(５)
【０１２０】
ＭｇＣＯ３＋Ｑ→ＭｇＯ＋ＣＯ２  （吸熱反応）
ＭｇＣＯ３＋Ｑ←ＭｇＯ＋ＣＯ２  （発熱反応）  …(６)
【０１２１】
蓄熱材Ｍ１、及びＭ２として、ＣａＯ、及び、ＭｇＯが使用される場合、（任意の雰囲気圧力において）「ＣａＯ（＝Ｍ１）の転換温度がＭｇＯ（＝Ｍ２）の転換温度より高い」という関係が成立する。
【０１２２】
以上、蓄熱材Ｍ１、及びＭ２として、ＣａＯ、及び、ＭｇＯが使用され（Ｍ３は省略）、且つ、凝縮部にて「水蒸気」に代えて「炭酸ガス」が収容される構成が採用されてもよい。
【符号の説明】
【０１２３】
Ｍ１、Ｍ２、Ｍ３…蓄熱材、Ｒ１、Ｒ２…反応部、Ｄ…蒸発・凝縮部、Ｈ１８、Ｈ１９、Ｈ２０、Ｈ２１…接続部、Ｈ５、Ｒ１３内のＥ、Ｈ４、Ｒ１２内のＥ、Ｈ３、Ｒ１１内のＥ、Ｈ２…第１流体通路、Ｈ１０、Ｒ２３内のＥ、Ｈ１１、Ｒ２２内のＥ、Ｈ１２、Ｒ２１内のＥ、Ｈ１３…第２流体通路
【図１】
0006566860.tif 000002
【図２】
0006566860.tif 000003
【図３】
0006566860.tif 000004
【図４】
0006566860.tif 000005
【図５】
0006566860.tif 000006
【図６】
0006566860.tif 000007
【図７】
0006566860.tif 000008
【図８】
0006566860.tif 000009
【図９】
0006566860.tif 000010
【図１０】
0006566860.tif 000011
【図１１】
0006566860.tif 000012